(57)【要約】【課題】より防犯性の高いキャビネット施解錠制御システムを提供する。【解決手段】制御装置において、固有ＩＤを登録ＩＤとして記憶手段に記憶させる際、当該登録ＩＤに対応する暗証番号を設定させ、認証装置が固有ＩＤを読み取ると、当該読み取った固有ＩＤと記憶手段に記憶されている登録ＩＤとが一致するか否かを判断するとともに、固有ＩＤ読み取り後に入力された暗証番号と登録ＩＤに対応して記憶されている暗証番号とが一致するか否かを判断し、両判断において一致していると判断した場合にのみ、電気錠式キャビネットの解錠を許容するようにした。【選択図】図３
2009102846.tif 000002
【特許請求の範囲】
【請求項１】
複数の電気錠式キャビネットと、固有ＩＤを有して各使用者が携帯するＩＤカードと、前記ＩＤカードの固有ＩＤを読み取り可能な認証装置と、記憶手段及び入力手段を有し、前記認証装置が読み取った固有ＩＤをもとに前記電気錠式キャビネットの施解錠を制御する制御装置とからなるキャビネット施解錠制御システムであって、
前記制御装置は、前記固有ＩＤを登録ＩＤとして前記記憶手段に記憶しているとともに、前記登録ＩＤに関連づけて前記使用者が設定した暗証キーを前記記憶手段に記憶しており、
前記認証装置が前記固有ＩＤを読み取ると、当該読み取った固有ＩＤと前記記憶手段に記憶されている固有ＩＤとが一致するか否かを判断するとともに、固有ＩＤ読み取り後に入力された暗証キーと前記登録ＩＤに関連づけられて記憶されている暗証キーとが一致するか否かを判断し、
両前記判断において一致していると判断した場合にのみ、前記電気錠式キャビネットの解錠を許容することを特徴とするキャビネット施解錠制御システム。
【請求項２】
解錠としたいキャビネットを指定するためのキャビネット指定手段を備えており、
両判断において一致していると判断した後、前記キャビネット指定手段により指定されたキャビネットのみ解錠を許容することを特徴とする請求項１に記載のキャビネット施解錠制御システム。
【発明の詳細な説明】
【技術分野】
【０００１】
本発明は、複数の電気錠式キャビネットにおける施錠／解錠を制御するためのキャビネット施解錠制御システムに関するものである。
【背景技術】
【０００２】
従来、たとえば特許文献１に開示されているように、パソコン等のコンピュータを用いて、複数の電気錠式キャビネットにおける施錠／解錠を制御するようにしたキャビネット施解錠制御システムが考案されている。当該システムにあっては、携帯操作端末としてのリモコンと、コンピュータと、電気錠式キャビネットとを通信可能に無線接続するとともに、各リモコンの固有ＩＤをコンピュータに登録させている。そして、リモコンにて解錠操作すると、リモコンからコンピュータへ固有ＩＤが送信され、コンピュータでは受信した固有ＩＤが予め登録されている登録ＩＤであるか否かが判断され、登録ＩＤである場合にのみ解錠信号が電気錠式キャビネットへ送信されるように構成している。
【０００３】
【特許文献１】特開２００３−１３８８１２号公報
【発明の開示】
【発明が解決しようとする課題】
【０００４】
しかしながら、上記キャビネット施解錠制御システムによれば、固有ＩＤがコンピュータに登録済みのリモコンを使用すれば、使用者が誰であっても電気錠式キャビネットの施解錠操作が可能となるため、たとえば紛失したリモコンや盗難されたリモコンを用いて不正に電気錠式キャビネットが開放されるおそれがあり、防犯性の点において課題を抱えていた。
【０００５】
そこで、本発明は、上記課題に鑑みなされたものであって、より防犯性の高いキャビネット施解錠制御システムを提供しようとするものである。
【課題を解決するための手段】
【０００６】
上記目的を達成するために、本発明のうち請求項１に記載の発明は、複数の電気錠式キャビネットと、固有ＩＤを有して各使用者が携帯するＩＤカードと、前記ＩＤカードの固有ＩＤを読み取り可能な認証装置と、記憶手段及び入力手段を有し、前記認証装置が読み取った固有ＩＤをもとに前記電気錠式キャビネットの施解錠を制御する制御装置とからなるキャビネット施解錠制御システムであって、前記制御装置は、前記固有ＩＤを登録ＩＤとして前記記憶手段に記憶しているとともに、前記登録ＩＤに関連づけて前記使用者が設定した暗証キーを前記記憶手段に記憶しており、前記認証装置が前記固有ＩＤを読み取ると、当該読み取った固有ＩＤと前記記憶手段に記憶されている固有ＩＤとが一致するか否かを判断するとともに、固有ＩＤ読み取り後に入力された暗証キーと前記登録ＩＤに関連づけられて記憶されている暗証キーとが一致するか否かを判断し、両前記判断において一致していると判断した場合にのみ、前記電気錠式キャビネットの解錠を許容することを特徴とする。
請求項２に記載の発明は、請求項１に記載の発明において、解錠としたいキャビネットを指定するためのキャビネット指定手段を備えており、両判断において一致していると判断した後、前記キャビネット指定手段により指定されたキャビネットのみ解錠を許容することを特徴とする。
【発明の効果】
【０００７】
本発明によれば、キャビネットを解錠とするためには、ＩＤカードをただ認証させるだけでなく、ＩＤカードの認証後に暗証キーの入力を行う必要があるため、ＩＤカードの使用者以外の者によるＩＤカードを用いた解錠を防止することができる。したがって、紛失したＩＤカードや盗難されたＩＤカードの悪用を防止することができ、防犯性が極めて高い。
また、請求項２に記載の発明によれば、キャビネット指定手段により、解錠としたいキャビネットを指定することができるため、必要でないキャビネットが不用意に解錠したりせず、閉め忘れの発生を防止することができる。
【発明を実施するための最良の形態】
【０００８】
以下、本発明の一実施形態となるキャビネット施解錠制御システム（以下、単に制御システムと称す）について、図面をもとに説明する。
【０００９】
図１は、制御システム１の概要を示した説明図であり、図２は、制御システム１のブロック構成図である。
制御システム１は、電気錠３ａ〜３ｄを有するキャビネット２ａ〜２ｄと、無線通信により電気錠３ａ〜３ｄの施解錠を制御する制御装置としてのコンピュータ５と、コンピュータ５での施解錠に係る操作の可否を判断するための認証装置４と、固有ＩＤを有し、当該固有ＩＤを認証装置４により読み取り可能なＩＤカード６とからなる。
【００１０】
各キャビネット２ａ〜２ｄは、前面に開口を有して内部に書類等を収納可能とした箱体であり、前面開口は前扉により開閉可能となっている。また、各キャビネット２ａ〜２ｄには、閉塞状態にある前扉を施錠／解錠するための電気錠３ａ〜３ｄが取り付けられている。各電気錠３ａ〜３ｄは、前扉を施解錠するためのロック機構を備えているとともに、タイマやロック機構制御手段を備えており、ロック機構が解錠動作した後、前扉が所定時間以上に亘って閉塞状態にある旨を検知すると、自動的にロック機構を施錠動作させるようになっている。また、電気錠３ａ〜３ｄは、後述するコンピュータ５との間で無線通信するための無線通信手段を備えており、コンピュータ５からの解錠信号の受信、及び施錠動作後のコンピュータ５への施錠信号の送信等が可能となっている。
【００１１】
認証装置４は、ＩＤカード６が有する固有ＩＤを読み取るための装置であって、ＲＦＩＤ通信可能な読み取り部を備えており、当該読み取り部へＩＤカード６を翳す等して近接させることにより、固有ＩＤを読み取り可能となっている。また、認証装置４は、後述するコンピュータ５と有線接続されており、ＩＤカード６の固有ＩＤを読み取ると、当該固有ＩＤをコンピュータ５へ出力するようになっている。
ＩＤカード６は、内部に固有ＩＤが記憶されたＩＤタグが収納されてなる合成樹脂製のカード体であって、使用者毎に夫々異なる固有ＩＤを有するものが所持される。
【００１２】
コンピュータ５は、各種動作を制御するためのＣＰＵ等といった制御手段１１と、登録される固有ＩＤを記憶するためのＲＯＭ等といった記憶手段１２、モニター等といった表示手段１３、キーボード等といった入力手段（キャビネット指定手段でもある）１４、電気錠３ａ〜３ｄの無線通信手段との間で無線通信を行うための送受信手段１５、認証装置４を接続するためのインターフェイス１６、及び時間を計時するためのタイマ１７等を備えてなる。
【００１３】
以下、上記制御システム１によるキャビネット２ａ〜２ｄの施解錠の制御について、図３をもとに説明する。図３は、制御手段１１における施解錠に係る制御を示したフローチャート図である。
上記制御システム１において施解錠を制御するにあたっては、使用するＩＤカード６の登録が必要となるため、まず、ＩＤカード６の登録について説明する。使用者は、使用可能としたいＩＤカード６を認証装置４に翳して、固有ＩＤを読み取らせる。次に、コンピュータ５を操作して、読み取らせた固有ＩＤを使用可能な登録ＩＤとして設定するとともに、当該登録ＩＤに対応する暗証キーとしての暗証番号（たとえば４桁の数字）を設定し、記憶手段１２に登録ＩＤ及び暗証番号を関連づけて記憶させる。当該操作によりＩＤカード６の登録は完了となる。
【００１４】
次に、上記登録済みのＩＤカード６を用いたキャビネット２ａ〜２ｄの施解錠について説明する。
認証装置４は、常時、読み取り部から呼出波を発信しており、ＩＤカード６が翳される等として読み取り部に近接される（Ｓ１）と、直ちにＩＤカード６の固有ＩＤを読み取り、当該固有ＩＤをコンピュータ５へ出力する。コンピュータ５では、認証装置４から固有ＩＤが入力されると、当該固有ＩＤが記憶手段１２に記憶されている登録ＩＤのうちの何れかと一致するか否かを判断する（Ｓ２）。ここで、固有ＩＤが登録ＩＤの何れとも一致しない（Ｓ２においてＮＯと判断）場合、使用可能なＩＤカード６ではないとして施解錠の制御を続行しない（すなわち、Ｓ３以降へ進まない）。
【００１５】
一方、入力された固有ＩＤが登録ＩＤの何れかと一致する（Ｓ２においてＹＥＳと判断）場合、表示手段１３において入力手段１４による暗証番号の入力を促し、暗証番号が入力されると、当該暗証番号が登録ＩＤに対応するとして設定された暗証番号と一致するか否かを判断する（Ｓ３）。ここで、入力された暗証番号が登録ＩＤに対応する暗証番号と一致しない（Ｓ３においてＮＯと判断）場合、ＩＤカード６を所持するべき使用者でないとして施解錠の制御を続行しない（すなわち、Ｓ４以降へ進まない）。尚、Ｓ３においては、暗証番号の入力ミス等が考えられるため、所定回数に限りＳ３を繰り返し実行するようにしてもよい。
【００１６】
一方、入力された暗証番号が、登録ＩＤに対応する暗証番号と一致する（Ｓ３においてＹＥＳと判断）場合、表示手段１３において解錠したいキャビネット２ａ〜２ｄの指定を促す（Ｓ４）。そして、解錠したいキャビネットとしてたとえばキャビネット２ａ、２ｃが指定されると、指定されたキャビネット２ａ、２ｃへのみ解錠信号を送信し（Ｓ５）、解錠を許容する。尚、Ｓ４において、所定時間（たとえば、３０秒）以上にわたりキャビネットの指定が行われない場合には、Ｓ１へ戻るようになっている。また、解錠信号を受信したキャビネット２ａ、２ｃでは、電気錠３ａ、３ｃのロック機構を解錠動作させ、前扉を開放可能とする。さらに、解錠動作後、所定時間以上に亘る前扉の閉塞状態を検知すると、作業終了と判断してロック機構を施錠動作させて前扉を施錠するとともに、コンピュータ５へ施錠信号を送信する。
【００１７】
コンピュータ５では、解錠信号を送信すると、キャビネット２ａ、２ｃからの施錠信号の受信を待ち受ける（Ｓ６及びＳ７）ことになる。ここで、各キャビネット２ａ〜２ｄの開放許容時間として予め所定時間（たとえば、２０分間）が設定されており、Ｓ７では、待ち受け時間が開放許容時間を超過したか否かが判断されることになる（すなわち、閉め忘れ防止）。そして、所定の開放許容時間内に施錠信号を受信した場合には、施錠として処理する（Ｓ９）一方、開放許容時間を超えて施錠信号を受信しない場合には、表示手段１３に「キャビネット２ａ、閉め忘れ！」と表示する等といった異常報知（Ｓ８）を行い、キャビネットの施錠を促す。
以上のようにして、キャビネット２ａ〜２ｄの施解錠の制御は行われる。
【００１８】
上述したような制御システム１によれば、キャビネット２ａ〜２ｄを解錠とするためには、ＩＤカード６をただ認証させるだけでなく、ＩＤカード６の認証後に暗証番号の入力を行う必要があるため、ＩＤカード６の使用者以外の者によるＩＤカード６を用いた解錠を防止することができる。したがって、紛失したＩＤカード６や盗難されたＩＤカード６の悪用を防止することができ、防犯性が極めて高い。
【００１９】
また、キャビネットを指定して解錠することができるため、必要でないキャビネットが不用意に解錠したりせず、閉め忘れの発生を防止することができる。
さらに、キャビネットの解錠後、所定時間にわたって施錠が確認されない場合、当該状態を表示手段１３等により報知するため、閉め忘れのまま長期間に亘って放置されるといった事態を防止することができ、防犯性を更に向上することができる。
【００２０】
なお、本発明の制御システムに係る構成は、上記実施形態に記載の態様に何ら限定されるものではなく、キャビネット、電気錠、制御装置、認証装置、及びＩＤカードに係る構成を、本発明の趣旨を逸脱しない範囲で適宜変更することができる。
【００２１】
たとえば、上記実施形態においては、認証装置にＩＤカードを翳すことで固有ＩＤを読み取り可能としているが、認証装置にＩＤカードの差し込み部を設ける等して当該差し込み部内に読み取り部を設けるような構成としてもよい。
また、認証装置と制御装置とを一体的に設けることも当然可能であるし、制御装置としては、入力手段としてテンキー程度を備えており、表示手段を有さない制御装置を用いることも可能である。さらにまた、上記実施形態では制御装置においてキャビネットを指定する構成としているが、各キャビネットに操作ボタンを設け、当該操作ボタンを操作することで、キャビネットを指定するように構成してもよい。
【００２２】
さらに、制御装置と電気錠とを有線接続することは当然可能であるし、制御装置と認証装置とを無線接続することも可能である。またさらに、入力手段についても、キーボードやテンキー、タッチパネル等各種のものを利用可能であることは言うまでもない。
さらにまた、本実施形態により施解錠が制御されるキャビネットは、上記前扉を有するキャビネットに限定されることはなく、引き出しタイプのキャビネットであってもよい。加えて、異常を報知するための別途ランプやスピーカ等を設けることは当然可能である。
【図面の簡単な説明】
【００２３】
【図１】制御システムの概要を示した説明図である。
【図２】制御システムのブロック構成図である。
【図３】制御手段における施解錠に係る制御を示したフローチャート図である。
【符号の説明】
【００２４】
１・・制御システム、２ａ〜２ｄ・・キャビネット、３ａ〜３ｄ・・電気錠、４・・認証装置、５・・コンピュータ、６・・ＩＤカード、１１・・制御手段、１２・・記憶手段、１３・・表示手段、１４・・入力手段、１５・・送受信手段、１６・・インターフェイス。
【図１】
2009102846.tif 000003
【図２】
2009102846.tif 000004
【図３】
2009102846.tif 000005